(57)【要約】【課題】鉄道用の連動装置で使用される連動表データの対象のエリアを分割した各エリア用の連動表データを生成可能な連動表データ生成装置を得ること。【解決手段】鉄道用の連動装置で使用される連動表データを生成する連動表データ生成装置１０であって、第１のエリアを対象とする第１の連動表データを取得する取得部１１と、第１のエリアを第２のエリアおよび第３のエリアに分割する位置を示す境界情報を受け付ける受付部１２と、境界情報を用いて、第１の連動表データから、第２のエリアを対象とする第２の連動表データ、および第３のエリアを対象とする第３の連動表データを生成する生成部１３と、を備える。【選択図】図１
2020032801.tif 000002
【特許請求の範囲】
【請求項１】
鉄道用の連動装置で使用される連動表データを生成する連動表データ生成装置であって、
第１のエリアを対象とする第１の連動表データを取得する取得部と、
前記第１のエリアを第２のエリアおよび第３のエリアに分割する位置を示す境界情報を受け付ける受付部と、
前記境界情報を用いて、前記第１の連動表データから、前記第２のエリアを対象とする第２の連動表データ、および前記第３のエリアを対象とする第３の連動表データを生成する生成部と、
を備えることを特徴とする連動表データ生成装置。
【請求項２】
前記生成部は、前記境界情報を用いて、前記第１の連動表データに記載されている軌道回路が、前記第２のエリアに所属するか、または前記第３のエリアに所属するかを決定し、
前記軌道回路の所属エリアの情報を用いて、前記第１の連動表データに記載されている設備であって前記軌道回路に関連する設備が、前記第２のエリアに所属するか、または前記第３のエリアに所属するか、または前記第２のエリアおよび前記第３のエリアの両方に所属するかを決定し、
前記第１の連動表データに記載されている前記軌道回路を、前記第２の連動表データ、または前記第３の連動表データに振り分け、前記第１の連動表データに記載されている前記設備を、前記第２の連動表データ、または前記第３の連動表データ、または前記第２の連動表データおよび前記第３の連動表データの両方に振り分け、前記第２の連動表データおよび前記第３の連動表データを生成する、
ことを特徴とする請求項１に記載の連動表データ生成装置。
【請求項３】
前記生成部は、前記第１の連動表データに記載されている前記軌道回路の接続情報に基づいて、前記境界情報で示される他のエリアと隣接する境界軌道回路を始点として、前記境界軌道回路に隣接する軌道回路の所属エリアを決定し、所属エリアを決定した軌道回路に隣接する軌道回路の所属エリアを決定する動作を繰り返し実施する、
ことを特徴とする請求項２に記載の連動表データ生成装置。
【請求項４】
前記境界情報を第１の境界情報とし、
前記受付部は、前記第２のエリアを第４のエリアおよび第５のエリアに分割する第２の境界情報を受け付け、
前記生成部は、前記第２の境界情報を用いて、前記第２の連動表データから、前記第４のエリアを対象とする第４の連動表データ、および前記第５のエリアを対象とする第５の連動表データを生成する、
ことを特徴とする請求項１から３のいずれか１つに記載の連動表データ生成装置。
【請求項５】
鉄道用の連動装置で使用される連動表データを生成する連動表データ生成装置の連動表データ生成方法であって、
取得部が、第１のエリアを対象とする第１の連動表データを取得する取得ステップと、
受付部が、前記第１のエリアを第２のエリアおよび第３のエリアに分割する位置を示す境界情報を受け付ける受付ステップと、
生成部が、前記境界情報を用いて、前記第１の連動表データから、前記第２のエリアを対象とする第２の連動表データ、および前記第３のエリアを対象とする第３の連動表データを生成する生成ステップと、
を含むことを特徴とする連動表データ生成方法。
【請求項６】
前記生成ステップにおいて、前記生成部は、前記境界情報を用いて、前記第１の連動表データに記載されている軌道回路が、前記第２のエリアに所属するか、または前記第３のエリアに所属するかを決定し、
前記軌道回路の所属エリアの情報を用いて、前記第１の連動表データに記載されている設備であって前記軌道回路に関連する設備が、前記第２のエリアに所属するか、または前記第３のエリアに所属するか、または前記第２のエリアおよび前記第３のエリアの両方に所属するかを決定し、
前記第１の連動表データに記載されている前記軌道回路を、前記第２の連動表データ、または前記第３の連動表データに振り分け、前記第１の連動表データに記載されている前記設備を、前記第２の連動表データ、または前記第３の連動表データ、または前記第２の連動表データおよび前記第３の連動表データの両方に振り分け、前記第２の連動表データおよび前記第３の連動表データを生成する、
ことを特徴とする請求項５に記載の連動表データ生成方法。
【請求項７】
前記生成ステップにおいて、前記生成部は、前記第１の連動表データに記載されている前記軌道回路の接続情報に基づいて、前記境界情報で示される他のエリアと隣接する境界軌道回路を始点として、前記境界軌道回路に隣接する軌道回路の所属エリアを決定し、所属エリアを決定した軌道回路に隣接する軌道回路の所属エリアを決定する動作を繰り返し実施する、
ことを特徴とする請求項６に記載の連動表データ生成方法。
【請求項８】
前記境界情報を第１の境界情報とし、
前記受付ステップにおいて、前記受付部は、前記第２のエリアを第４のエリアおよび第５のエリアに分割する第２の境界情報を受け付け、
前記生成ステップにおいて、前記生成部は、前記第２の境界情報を用いて、前記第２の連動表データから、前記第４のエリアを対象とする第４の連動表データ、および前記第５のエリアを対象とする第５の連動表データを生成する、
ことを特徴とする請求項５から７のいずれか１つに記載の連動表データ生成方法。
【発明の詳細な説明】
【技術分野】
【０００１】
本発明は、鉄道用の連動装置で使用される連動表データを生成する連動表データ生成装置および連動表データ生成方法に関する。
【背景技術】
【０００２】
鉄道の駅構内などにおいて、列車の衝突を防止しつつ列車を効率良く走行させるため、列車に対する進路の割り当て、転てつ器の切り換え、信号機の現示などを制御する連動処理を行う連動装置がある。連動装置には、電気的なリレー回路で連動論理を実行する継電連動装置、および計算機がデータに基づいて連動処理を行なう電子連動装置があるが、ここでは後者の電子連動装置を想定している。連動装置に連動処理を実行させるには、連動処理の内容が記載された連動論理データが必要となる。連動論理データは、一般的に、対象のエリアにある設備を図で表した配線図、および対象のエリアにある設備間の相互関係などを示す連動表データからなる。対象となる駅構内などのエリアで列車の進行方向が複数想定される場合、連動表データは複雑になる。そのため、人間が連動表データを作成する場合、連動表データの作成作業および検証作業に膨大な労力と時間がかかっていた。
【０００３】
このような問題に対して、特許文献１には、連動図表の情報を用いて、人間の判断が不要な部分については連動表データを自動生成し、人間の判断が必要な部分については人間の判断を受け付けて連動表データを生成することで、連動表データを生成する際の作成作業および検証作業を大幅に省力化するとともに、人間による単純なミスを低減する技術が開示されている。
【先行技術文献】
【特許文献】
【０００４】
【特許文献１】特開２００３−８１０９０号公報
【発明の概要】
【発明が解決しようとする課題】
【０００５】
近年、１つの連動装置が行っていた連動処理の対象エリアを複数のエリアに分割し、エリア毎に連動装置を配置して連動処理を行わせることが求められている。従来は、連動処理の対象エリアで工事を行う場合、対象エリア全域で連動装置による連動処理を停止していた。対象エリアを分割することによって、工事が行われるエリアのみ連動装置による連動処理を停止し、工事をしていない他のエリアでは、連動装置による連動処理を継続することができる。
【０００６】
しかしながら、一般的に、連動表データの元の情報となる連動図表の情報は１つの駅に対して１つ作成されている。特許文献１の手法で連動表データを生成するためには、分割されるエリアに対応した連動図表を用意する必要があり、エリア毎の連動図表の作成作業および検証作業に時間がかかってしまう、という問題があった。
【０００７】
本発明は、上記に鑑みてなされたものであって、鉄道用の連動装置で使用される連動表データの対象のエリアを分割した各エリア用の連動表データを生成可能な連動表データ生成装置を得ることを目的とする。
【課題を解決するための手段】
【０００８】
上述した課題を解決し、目的を達成するために、本発明は、鉄道用の連動装置で使用される連動表データを生成する連動表データ生成装置である。連動表データ生成装置は、第１のエリアを対象とする第１の連動表データを取得する取得部と、第１のエリアを第２のエリアおよび第３のエリアに分割する位置を示す境界情報を受け付ける受付部と、境界情報を用いて、第１の連動表データから、第２のエリアを対象とする第２の連動表データ、および第３のエリアを対象とする第３の連動表データを生成する生成部と、を備えることを特徴とする。
【発明の効果】
【０００９】
本発明によれば、連動表データ生成装置は、鉄道用の連動装置で使用される連動表データの対象のエリアを分割した各エリア用の連動表データを生成できる、という効果を奏する。
【図面の簡単な説明】
【００１０】
【図１】連動表データ生成装置の構成例を示すブロック図
【図２】連動表データ生成装置の取得部で取得される第１の連動表データに対応する第１のエリアの配線図の例を示す図
【図３】連動表データ生成装置の取得部で取得される第１の連動表データの例を示す図
【図４】連動表データ生成装置の受付部で受け付けられる境界情報の例を示す図
【図５】連動表データ生成装置が１つの連動表データから２つの連動表データを生成する動作を示すフローチャート
【図６】連動表データ生成装置の生成部が第１の連動表データに記載されている全設備の所属エリアを決定する動作を示すフローチャート
【図７】連動表データ生成装置の生成部が軌道回路の所属エリアを決定する動作を示すフローチャート
【図８】連動表データ生成装置の生成部が決定した軌道回路の所属エリアの例を示す図
【図９】連動表データ生成装置の生成部が軌道回路以外の他の設備の所属エリアを決定する動作を示すフローチャート
【図１０】連動表データ生成装置の生成部が決定した発点の所属エリアの例を示す図
【図１１】連動表データ生成装置の生成部が決定した着点の所属エリアの例を示す図
【図１２】連動表データ生成装置の生成部が決定した転てつ器の所属エリアの例を示す図
【図１３】連動表データ生成装置の生成部が決定した進路の所属エリアの例を示す図
【図１４】連動表データ生成装置の生成部が決定した信号機の所属エリアの例を示す図
【図１５】連動表データ生成装置の生成部が決定した区分鎖錠の所属エリアの例を示す図
【図１６】連動表データ生成装置の生成部が第２の連動表データおよび第３の連動表データを生成する動作を示すフローチャート
【図１７】連動表データ生成装置で生成される第２の連動表データの対象エリアである第２のエリアの配線図、および第３の連動表データの対象エリアである第３のエリアの配線図を示す図
【図１８】連動表データ生成装置の生成部で生成される第２のエリアを対象とする第２の連動表データの例を示す図
【図１９】連動表データ生成装置の生成部で生成される第３のエリアを対象とする第３の連動表データの例を示す図
【図２０】連動表データ生成装置が備える処理回路をプロセッサおよびメモリで構成する場合の例を示す図
【図２１】連動表データ生成装置が備える処理回路を専用のハードウェアで構成する場合の例を示す図
【発明を実施するための形態】
【００１１】
以下に、本発明の実施の形態に係る連動表データ生成装置および連動表データ生成方法を図面に基づいて詳細に説明する。なお、この実施の形態によりこの発明が限定されるものではない。
【００１２】
実施の形態．
図１は、本発明の実施の形態に係る連動表データ生成装置１０の構成例を示すブロック図である。連動表データ生成装置１０は、図示しない鉄道用の連動装置で使用される連動表データを生成する。具体的には、連動表データ生成装置１０は、第１のエリアを対象とする第１の連動表データから、第１のエリアを２つに分割した一方の第２のエリアを対象とする第２の連動表データ、および第１のエリアを２つに分割した他方の第３のエリアを対象とする第３の連動表データを生成する。例えば、第１のエリアが、ある駅を含む上り線および下り線の線路を含むエリアの場合、第２のエリアは上り線の線路を含むエリア、第３のエリアは下り線の線路を含むエリアとなる。なお、エリアの分割方法は一例であり、これに限定されない。連動表データ生成装置１０は、取得部１１と、受付部１２と、生成部１３と、出力部１４と、を備える。
【００１３】
取得部１１は、鉄道用の連動装置で使用される連動表データであって、第１のエリアを対象とする第１の連動表データを取得する。第１の連動表データは、鉄道会社などから取得された連動図表の情報に基づいて、連動装置のメーカーの作業者などによって生成された連動表データである。連動表データは、配線図とともに連動論理データを構成するデータである。
【００１４】
図２は、本実施の形態に係る連動表データ生成装置１０の取得部１１で取得される第１の連動表データに対応する第１のエリアの配線図の例を示す図である。図２で示される配線図は、第１のエリアを対象とした配線図である。図２の配線図において、（Ｄ１Ｔ）、（１ＲＡＴ）など（）で示されるものは軌道回路である。また、３２、３３など３本線の記号と一緒に示されるものは転てつ器である。なお、３１イおよび３１ロは、連動して動く１つの転てつ器である。また、２Ｌ、３２Ｌなど右向きまたは左向きの三角形と一緒に示されるものは図示しない列車の進路の発点である。また、Ａ、Ｂなど丸で囲まれたものは列車の進路の着点である。また、発点の付近で丸または扇形が含まれる記号で示されるものは当該記号で示される列車の進路に対応する信号機である。なお、列車の進路は、発点および着点の組み合わせによって示される。例えば、進路１ＲＡは、発点が１Ｒ、着点がＡであることを示している。また、図２において、上りおよび下りの方向は限定されず、右方向が上り方向で左方向が下り方向、または右方向が下り方向で左方向が上り方向となる。
【００１５】
図３は、本実施の形態に係る連動表データ生成装置１０の取得部１１で取得される第１の連動表データの例を示す図である。図３の第１の連動表データにおいて、場内、出発などの種別は、次の進路の種別を示す。進路は、次の発点および着点で示されるものである。発点は、図２において右向きまたは左向きの三角形で示されるものである。着点は、図２において丸で囲まれたＡ、Ｂなどで示されるものである。信号機は、図２において発点の付近で丸または扇形が含まれる記号で示されるものである。転てつ器は、図２において３本線の記号と一緒に示されるものである。なお、図３の表記において、＜＞が付いていないものは図２において３本線がある定位方向を示し、＜＞が付いているものは図２において３本線がない反位方向を示している。軌道回路は、図２において（）で示されるものであり、該当する進路の信号機で防護される区間を示している。接近区間は、図２において発点のある軌道回路を含む、該当する進路の信号機で防護されない外方の区間を示している。区分鎖錠は、進路内にある転てつ器を鎖錠または解錠するための機構であり、ここでは、各進路で通過する転てつ器が存在する軌道回路、転てつ器が存在する軌道回路の１つ手前の軌道回路、転てつ器が存在する軌道回路の１つ前方の軌道回路によって区分鎖錠を定義している。区分鎖錠の例については後述するが、図３では記載を省略している。
【００１６】
図２の配線図および図３の第１の連動表データで示される論理連動データの内容は一般的なものであり、従来と同様のものである。図３で示される第１の連動表データについては、人間が生成したものでもよいし、連動表データを生成する装置によって生成されたものでもよい。
【００１７】
受付部１２は、第１のエリアを第２のエリアおよび第３のエリアに分割する位置を示す境界情報を受け付ける。図４は、本実施の形態に係る連動表データ生成装置１０の受付部１２で受け付けられる境界情報の例を示す図である。境界情報は、第１のエリアを第２のエリアおよび第３のエリアに分割したときの境界において、第２のエリアに所属する軌道回路、および第３のエリアに所属する軌道回路の情報を示すものである。本実施の形態では、第２のエリアおよび第３のエリアの境界は、軌道回路を跨がないこととする。図４に示す例では、境界情報として、第２のエリアに所属する軌道回路が軌道回路３１Ｔ、第３のエリアに所属する軌道回路が軌道回路３２Ｔであることを示している。すなわち、図４に示す境界情報は、第２のエリアおよび第３のエリアの境界は、軌道回路３１Ｔと軌道回路３２Ｔとの接続部分であることを示している。境界情報で示される軌道回路、図４の例では、軌道回路３１Ｔ，３２Ｔを境界軌道回路とする。なお、連動表データ生成装置１０では、取得部１１および受付部１２をまとめて１つの構成にし、第１の連動表データおよび境界情報を取得してもよい。
【００１８】
生成部１３は、受付部１２で受け付けられた境界情報を用いて、第１の連動表データから、第２のエリアを対象とする第２の連動表データ、および第３のエリアを対象とする第３の連動表データを生成する。生成部１３の動作の詳細については後述する。
【００１９】
出力部１４は、生成部１３で生成された第２の連動表データおよび第３の連動表データを出力する。第２の連動表データおよび第３の連動表データは、内容は異なるが、第１の連動表データと同様のデータ構成をしている。そのため、第１の連動表データを用いて連動処理を実行可能な連動装置であれば、第２の連動表データを用いて連動処理を実行し、第３の連動表データを用いて連動処理を実行することが可能である。
【００２０】
つぎに、連動表データ生成装置１０の動作について説明する。図５は、本実施の形態に係る連動表データ生成装置１０が１つの連動表データから２つの連動表データを生成する動作を示すフローチャートである。まず、連動表データ生成装置１０において、取得部１１は、第１のエリアを対象とする第１の連動表データを取得する（ステップＳ１）。具体的には、取得部１１は、通信または記憶媒体を介して、第１の連動表データを取得する。受付部１２は、第１のエリアを第２のエリアおよび第３のエリアに分割する位置を示す境界情報を受け付ける（ステップＳ２）。具体的には、受付部１２は、通信または記憶媒体を介して、境界情報を受け付ける。受付部１２は、ユーザの手入力によって、境界情報を受け付けてもよい。
【００２１】
生成部１３は、境界情報を用いて、第１の連動表データに記載されている全設備の所属エリアを決定する（ステップＳ３）。生成部１３によるステップＳ３の動作について詳細に説明する。図６は、本実施の形態に係る連動表データ生成装置１０の生成部１３が第１の連動表データに記載されている全設備の所属エリアを決定する動作を示すフローチャートである。生成部１３は、第１の連動表データに記載されている設備のうち、軌道回路の所属エリアを決定する（ステップＳ１１）。生成部１３による軌道回路の所属エリアを決定するステップＳ１１の動作について詳細に説明する。図７は、本実施の形態に係る連動表データ生成装置１０の生成部１３が軌道回路の所属エリアを決定する動作を示すフローチャートである。生成部１３は、境界情報を用いて、第１の連動表データに記載されている軌道回路が、第２のエリアに所属するか、または第３のエリアに所属するかを決定する。
【００２２】
生成部１３は、第２のエリアの境界軌道回路を選択する（ステップＳ２１）。生成部１３は、前述の図２および図４の例では、軌道回路３１Ｔを選択する。生成部１３は、軌道回路３１Ｔの所属エリアは第２のエリアと決定する（ステップＳ２２）。生成部１３は、軌道回路３１Ｔに隣接する軌道回路の情報を取得する（ステップＳ２３）。前述のように軌道回路の接続情報は第１の連動表データに含まれているため、生成部１３は、第１の連動表データから上り方向で隣接する軌道回路、および下り方向で隣接する軌道回路の情報を取得する。生成部１３は、図２および図４の例では、第３のエリアの境界軌道回路以外の、軌道回路１ＲＢＴ，１ＲＡＴ，Ｄ１Ｔの情報を取得する。なお、第２のエリアに含まれる軌道回路の数は有限である。そのため、生成部１３は、以降のステップＳ２３の動作において、対象とする軌道回路に隣接する軌道回路の情報を取得できない場合がある。生成部１３は、隣接する軌道回路の情報を取得できたことから（ステップＳ２４：Ｙｅｓ）、まず、軌道回路１ＲＢＴを選択する。生成部１３は、軌道回路１ＲＢＴは第３のエリアの境界軌道回路ではないことから（ステップＳ２５：Ｎｏ）、軌道回路１ＲＢＴの所属エリアは第２のエリアと決定する（ステップＳ２２）。なお、生成部１３は、既に所属エリアを決定済みの軌道回路について重複して決定する必要はないので、所属エリアを決定済みか否かの重複チェックを併せて行う。以降においても同様とする。
【００２３】
生成部１３は、軌道回路１ＲＢＴに隣接する軌道回路の情報を取得する（ステップＳ２３）。生成部１３は、図２および図４の例では、軌道回路１ＲＢＴに隣接する軌道回路４１Ｔの情報を取得する。生成部１３は、隣接する軌道回路の情報を取得でき（ステップＳ２４：Ｙｅｓ）、軌道回路４１Ｔは第３のエリアの境界軌道回路ではないことから（ステップＳ２５：Ｎｏ）、軌道回路４１Ｔの所属エリアは第２のエリアと決定する（ステップＳ２２）。
【００２４】
生成部１３は、軌道回路４１Ｔに隣接する軌道回路の情報を取得する（ステップＳ２３）。生成部１３は、図２および図４の例では、軌道回路４１Ｔに隣接する軌道回路５ＲＴの情報を取得する。生成部１３は、隣接する軌道回路の情報を取得でき（ステップＳ２４：Ｙｅｓ）、軌道回路５ＲＴは第３のエリアの境界軌道回路ではないことから（ステップＳ２５：Ｎｏ）、軌道回路４１Ｔの所属エリアは第２のエリアと決定する（ステップＳ２２）。
【００２５】
生成部１３は、軌道回路５ＲＴに隣接する軌道回路の情報を取得する（ステップＳ２３）。生成部１３は、図２および図４の例では、軌道回路５ＲＴに隣接する軌道回路はなく、隣接する軌道回路の情報を取得できないことから（ステップＳ２４：Ｎｏ）、既に隣接する軌道回路の情報として取得済みで所属エリアを決定していない軌道回路があるか否かを判定する（ステップＳ２６）。生成部１３は、軌道回路１ＲＡＴ，Ｄ１Ｔがあるので（ステップＳ２６：Ｙｅｓ）、軌道回路１ＲＡＴを選択する（ステップＳ２７）。生成部１３は、軌道回路１ＲＡＴは第３のエリアの境界軌道回路ではないことから（ステップＳ２５：Ｎｏ）、軌道回路１ＲＡＴの所属エリアは第２のエリアと決定する（ステップＳ２２）。
【００２６】
生成部１３は、軌道回路１ＲＡＴに隣接する軌道回路の情報を取得する（ステップＳ２３）。生成部１３は、図２および図４の例では、軌道回路１ＲＡＴに隣接する軌道回路４１Ｔの情報を取得する。生成部１３は、隣接する軌道回路の情報を取得でき（ステップＳ２４：Ｙｅｓ）、軌道回路４１Ｔは第３のエリアの境界軌道回路ではないが（ステップＳ２５：Ｎｏ）、軌道回路４１Ｔの所属エリアは第２のエリアと決定済みのため、ステップＳ２２の動作は省略する。
【００２７】
生成部１３は、軌道回路４１Ｔに隣接する軌道回路の情報を取得する（ステップＳ２３）。生成部１３は、図２および図４の例では、軌道回路４１Ｔに隣接する軌道回路５ＲＴの情報を取得する。生成部１３は、隣接する軌道回路の情報を取得でき（ステップＳ２４：Ｙｅｓ）、軌道回路５ＲＴは第３のエリアの境界軌道回路ではないが（ステップＳ２５：Ｎｏ）、軌道回路５ＲＴの所属エリアは第２のエリアと決定済みのため、ステップＳ２２の動作は省略する。
【００２８】
生成部１３は、軌道回路５ＲＴに隣接する軌道回路の情報を取得する（ステップＳ２３）。生成部１３は、図２および図４の例では、軌道回路５ＲＴに隣接する軌道回路はなく、隣接する軌道回路の情報を取得できないことから（ステップＳ２４：Ｎｏ）、既に隣接する軌道回路の情報として取得済みで所属エリアを決定していない軌道回路があるか否かを判定する（ステップＳ２６）。生成部１３は、軌道回路Ｄ１Ｔがあるので（ステップＳ２６：Ｙｅｓ）、軌道回路Ｄ１Ｔを選択する（ステップＳ２７）。生成部１３は、軌道回路Ｄ１Ｔは第３のエリアの境界軌道回路ではないことから（ステップＳ２５：Ｎｏ）、軌道回路Ｄ１Ｔの所属エリアは第２のエリアと決定する（ステップＳ２２）。
【００２９】
生成部１３は、軌道回路Ｄ１Ｔに隣接する軌道回路の情報を取得する（ステップＳ２３）。生成部１３は、図２および図４の例では、軌道回路Ｄ１Ｔに隣接する軌道回路はなく、隣接する軌道回路の情報を取得できないことから（ステップＳ２４：Ｎｏ）、既に隣接する軌道回路の情報として取得済みで所属エリアを決定していない軌道回路があるか否かを判定する（ステップＳ２６）。生成部１３は、既に隣接する軌道回路の情報として取得済みで所属エリアを決定していない軌道回路はないので（ステップＳ２６：Ｎｏ）、第２のエリアの境界軌道回路を選択する（ステップＳ２１）。生成部１３は、図２および図４の例では、第２のエリアにおいて境界軌道回路は軌道回路３１Ｔのみであることから、全て選択したとして、ステップＳ２１からステップＳ２７までの動作を終了してステップＳ２８の動作に進む。
【００３０】
生成部１３は、第３のエリアの境界軌道回路を選択する（ステップＳ２８）。生成部１３は、前述の図２および図４の例では、軌道回路３２Ｔを選択する。生成部１３は、軌道回路３２Ｔの所属エリアは第３のエリアと決定する（ステップＳ２９）。生成部１３は、軌道回路３２Ｔに隣接する軌道回路の情報を取得する（ステップＳ３０）。前述のように軌道回路の接続情報は第１の連動表データに含まれているため、生成部１３は、第１の連動表データから上り方向で隣接する軌道回路、および下り方向で隣接する軌道回路の情報を取得する。生成部１３は、図２および図４の例では、第２のエリアの境界軌道回路以外の、軌道回路３ＬＴ，７ＬＣＴ，７ＬＤＴの情報を取得する。なお、第３のエリアに含まれる軌道回路の数は有限である。そのため、生成部１３は、以降のステップＳ３０の動作において、対象とする軌道回路に隣接する軌道回路の情報を取得できない場合がある。生成部１３は、隣接する軌道回路の情報を取得できたことから（ステップＳ３１：Ｙｅｓ）、まず、軌道回路３ＬＴを選択する。生成部１３は、軌道回路３ＬＴは第２のエリアの境界軌道回路ではないことから（ステップＳ３２：Ｎｏ）、軌道回路３ＬＴの所属エリアは第３のエリアと決定する（ステップＳ２９）。
【００３１】
生成部１３は、ステップＳ２８からステップＳ３４において、ステップＳ２１からステップＳ２７までと同様の動作を行う。図８は、本実施の形態に係る連動表データ生成装置１０の生成部１３が決定した軌道回路の所属エリアの例を示す図である。生成部１３は、図６に示すフローチャートのステップＳ１１、すなわち図７に示すフローチャートの動作によって、軌道回路３１Ｔ，１ＲＢＴ，４１Ｔ，５ＲＴ，１ＲＡＴ，Ｄ１Ｔは第２のエリアに所属すると決定し、軌道回路３２Ｔ，３ＬＴ，７ＬＣＴ，４２Ｔ，Ｕ１Ｔ，７ＬＤＴは第３のエリアに所属すると決定する。このように、生成部１３は、第１の連動表データに記載されている軌道回路の接続情報に基づいて、境界情報で示される他のエリアと隣接する軌道回路である境界軌道回路を始点として、隣接する軌道回路の所属エリアを決定し、所属エリアを決定した軌道回路に隣接する軌道回路の所属エリアを決定する動作を繰り返し実施する。
【００３２】
図６のフローチャートの説明に戻る。生成部１３は、ステップＳ１１の動作の後、軌道回路の所属エリアの情報を用いて、第１の連動表データに記載されている軌道回路以外の他の設備の所属エリアを決定する。具体的には、生成部１３は、発点の所属エリアを決定する（ステップＳ１２）。生成部１３による発点の所属エリアを決定するステップＳ１２の動作について詳細に説明する。図９は、本実施の形態に係る連動表データ生成装置１０の生成部１３が軌道回路以外の他の設備の所属エリアを決定する動作を示すフローチャートである。生成部１３は、軌道回路の所属エリアの情報を用いて、第１の連動表データに記載されている設備であって軌道回路に関連する設備が、第２のエリアに所属するか、または第３のエリアに所属するか、または第２のエリアおよび第３のエリアの両方に所属するかを決定する。
【００３３】
生成部１３は、設備として発点を順次選択する。まず、生成部１３は、発点１Ｒを選択する（ステップＳ４１）。生成部１３は、発点１Ｒに関係する軌道回路の情報を取得する（ステップＳ４２）。具体的には、生成部１３は、図２に示す第１の連動表データの接近区間の項目を参照し、発点１Ｒに関係する軌道回路として、軌道回路Ｄ１Ｔの情報を取得する。生成部１３は、取得した軌道回路の情報に基づいて、発点１Ｒの所属エリアを決定する（ステップＳ４３）。具体的には、生成部１３は、発点１Ｒは軌道回路Ｄ１Ｔと同じ第２のエリアに所属すると決定する。以降、生成部１３は、発点を順次選択し、同様の動作を繰り返し実施する。図１０は、本実施の形態に係る連動表データ生成装置１０の生成部１３が決定した発点の所属エリアの例を示す図である。生成部１３は、図６に示すフローチャートのステップＳ１２、すなわち図９に示すフローチャートの動作によって、発点１Ｒ，３２Ｌ，５Ｒ，６Ｒ，２Ｌは第２のエリアに所属すると決定し、発点３Ｌ，４Ｌ，７Ｌ，３３Ｌ，３４Ｌ，３１Ｒは第３のエリアに所属すると決定する。
【００３４】
図６のフローチャートの説明に戻る。生成部１３は、軌道回路の所属エリアの情報を用いて、着点の所属エリアを決定する（ステップＳ１３）。生成部１３は、前述の図９のフローチャートを用いて着点の所属エリアを決定する。
【００３５】
生成部１３は、設備として着点を順次選択する。まず、生成部１３は、着点Ａを選択する（ステップＳ４１）。生成部１３は、着点Ａに関係する軌道回路の情報を取得する（ステップＳ４２）。具体的には、生成部１３は、図２に示す第１の連動表データの軌道回路の項目を参照し、着点Ａに関係する軌道回路として、一番右側に記載されている軌道回路１ＲＡＴの情報を取得する。生成部１３は、取得した軌道回路の情報に基づいて、着点Ａの所属エリアを決定する（ステップＳ４３）。具体的には、生成部１３は、着点Ａは軌道回路１ＲＡＴと同じ第２のエリアに所属すると決定する。以降、生成部１３は、着点を順次選択し、同様の動作を繰り返し実施する。図１１は、本実施の形態に係る連動表データ生成装置１０の生成部１３が決定した着点の所属エリアの例を示す図である。生成部１３は、図６に示すフローチャートのステップＳ１３、すなわち図９に示すフローチャートの動作によって、着点Ａ，Ｂ，Ｆは第２のエリアに所属すると決定し、着点Ｃ，Ｄ，Ｅは第３のエリアに所属すると決定する。
【００３６】
図６のフローチャートの説明に戻る。生成部１３は、軌道回路の所属エリアの情報を用いて、転てつ器の所属エリアを決定する（ステップＳ１４）。生成部１３は、前述の図９のフローチャートを用いて転てつ器の所属エリアを決定する。
【００３７】
生成部１３は、設備として転てつ器を順次選択する。まず、生成部１３は、転てつ器４１を選択する（ステップＳ４１）。生成部１３は、転てつ器４１に関係する軌道回路の情報を取得する（ステップＳ４２）。具体的には、生成部１３は、図２に示す第１の連動表データの着点、転てつ器、および軌道回路の項目を参照し、着点は転てつ器のある軌道回路に設定されていないことをふまえて、転てつ器４１に関係する軌道回路として軌道回路４１Ｔの情報を取得する。生成部１３は、取得した軌道回路の情報に基づいて、転てつ器４１の所属エリアを決定する（ステップＳ４３）。具体的には、生成部１３は、転てつ器４１は軌道回路４１Ｔと同じ第２のエリアに所属すると決定する。以降、生成部１３は、転てつ器を順次選択し、同様の動作を繰り返し実施する。図１２は、本実施の形態に係る連動表データ生成装置１０の生成部１３が決定した転てつ器の所属エリアの例を示す図である。生成部１３は、図６に示すフローチャートのステップＳ１４、すなわち図９に示すフローチャートの動作によって、転てつ器４１，３２は第２のエリアに所属すると決定し、転てつ器３３，４２は第３のエリアに所属すると決定し、転てつ器３１はエリア跨り、すなわち第２にエリアおよび第３のエリアに跨って両方のエリアに所属していると決定する。
【００３８】
図６のフローチャートの説明に戻る。生成部１３は、軌道回路の所属エリアの情報を用いて、進路の所属エリアを決定する（ステップＳ１５）。生成部１３は、前述の図９のフローチャートを用いて進路の所属エリアを決定する。
【００３９】
生成部１３は、設備として進路を順次選択する。まず、生成部１３は、進路１ＲＡを選択する（ステップＳ４１）。生成部１３は、進路１ＲＡに関係する軌道回路の情報を取得する（ステップＳ４２）。具体的には、生成部１３は、図２に示す第１の連動表データの発点および着点の項目を参照し、進路１ＲＡの発点１Ｒおよび着点Ａに関係する軌道回路として、軌道回路Ｄ１Ｔ，３１Ｔ，１ＲＡＴの情報を取得する。生成部１３は、取得した軌道回路の情報に基づいて、進路１ＲＡの所属エリアを決定する（ステップＳ４３）。具体的には、生成部１３は、進路１ＲＡに関係する軌道回路Ｄ１Ｔ，３１Ｔ，１ＲＡＴは全て第２のエリアに所属することから、進路１ＲＡは第２のエリアに所属すると決定する。以降、生成部１３は、進路を順次選択し、同様の動作を繰り返し実施する。図１３は、本実施の形態に係る連動表データ生成装置１０の生成部１３が決定した進路の所属エリアの例を示す図である。生成部１３は、図６に示すフローチャートのステップＳ１５、すなわち図９に示すフローチャートの動作によって、進路１ＲＡ，１ＲＢ，５ＲＦ，６ＲＦは第２のエリアに所属すると決定し、進路３ＬＥ，４ＬＥ，７ＬＣ，７ＬＤ，３１ＲＣ，３１ＲＤ，３３ＬＥ，３４ＬＥは第３のエリアに所属すると決定し、進路２ＬＥ，３１ＲＡ，３１ＲＢ，３２ＬＥはエリア跨り、すなわち第２にエリアおよび第３のエリアに跨って両方のエリアに所属していると決定する。
【００４０】
図６のフローチャートの説明に戻る。生成部１３は、軌道回路の所属エリアの情報を用いて、信号機の所属エリアを決定する（ステップＳ１６）。生成部１３は、前述の図９のフローチャートを用いて信号機の所属エリアを決定する。
【００４１】
生成部１３は、設備として信号機を順次選択する。まず、生成部１３は、信号機１ＲＡを選択する（ステップＳ４１）。生成部１３は、信号機１ＲＡに関係する軌道回路の情報を取得する（ステップＳ４２）。具体的には、生成部１３は、図２に示す第１の連動表データの発点および着点の項目を参照し、信号機１ＲＡに対応する発点１Ｒおよび着点Ａに関係する軌道回路として、軌道回路Ｄ１Ｔ，３１Ｔ，１ＲＡＴの情報を取得する。生成部１３は、取得した軌道回路の情報に基づいて、信号機１ＲＡの所属エリアを決定する（ステップＳ４３）。具体的には、生成部１３は、信号機１ＲＡに関係する軌道回路Ｄ１Ｔ，３１Ｔ，１ＲＡＴは全て第２のエリアに所属することから、信号機１ＲＡは第２のエリアに所属すると決定する。以降、生成部１３は、信号機を順次選択し、同様の動作を繰り返し実施する。図１４は、本実施の形態に係る連動表データ生成装置１０の生成部１３が決定した信号機の所属エリアの例を示す図である。生成部１３は、図６に示すフローチャートのステップＳ１６、すなわち図９に示すフローチャートの動作によって、信号機１ＲＡ，１ＲＢ，５Ｒ，６Ｒは第２のエリアに所属すると決定し、信号機３Ｌ，４Ｌ，７ＬＣ，７ＬＤ，３３Ｌ，３４Ｌは第３のエリアに所属すると決定し、信号機３２Ｌ，３１Ｒ，２Ｌはエリア跨り、すなわち第２にエリアおよび第３のエリアに跨って両方のエリアに所属していると決定する。なお、生成部１３は、信号機の所属エリアを決定する前に、進路の所属エリアを決定している。そのため、生成部１３は、進路の所属エリアに基づいて、信号機の所属エリアを決定してもよい。この場合、生成部１３は、信号機に関連する進路にエリア跨りのものがあれば当該信号機はエリア跨りとし、信号機に関連する進路にエリア跨りのものが無ければ、進路の所属エリアに応じて当該信号機は第２のエリアまたは第３のエリアに所属しているとする。
【００４２】
図６のフローチャートの説明に戻る。生成部１３は、軌道回路の所属エリアの情報を用いて、区分鎖錠の所属エリアを決定する（ステップＳ１７）。生成部１３は、前述の図９のフローチャートを用いて信号機の所属エリアを決定する。
【００４３】
生成部１３は、設備として区分鎖錠を順次選択する。まず、生成部１３は、区分鎖錠（３１Ｔ）Ｄ１Ｔ＞１ＲＡＴを選択する（ステップＳ４１）。なお、区分鎖錠の表記については、「（転てつ器が存在する軌道回路）転てつ器が存在する軌道回路の１つ手前の軌道回路＞転てつ器が存在する軌道回路の１つ前方の軌道回路」とする。生成部１３は、区分鎖錠（３１Ｔ）Ｄ１Ｔ＞１ＲＡＴに関係する軌道回路の情報を取得する（ステップＳ４２）。具体的には、生成部１３は、区分鎖錠で示される３つの軌道回路３１Ｔ，Ｄ１Ｔ，１ＲＡＴの情報を取得する。生成部１３は、取得した軌道回路の情報に基づいて、区分鎖錠（３１Ｔ）Ｄ１Ｔ＞１ＲＡＴの所属エリアを決定する（ステップＳ４３）。具体的には、生成部１３は、区分鎖錠（３１Ｔ）Ｄ１Ｔ＞１ＲＡＴに関係する軌道回路３１Ｔ，Ｄ１Ｔ，１ＲＡＴは全て第２のエリアに所属することから、区分鎖錠（３１Ｔ）Ｄ１Ｔ＞１ＲＡＴは第２のエリアに所属すると決定する。以降、生成部１３は、区分鎖錠を順次選択し、同様の動作を繰り返し実施する。図１５は、本実施の形態に係る連動表データ生成装置１０の生成部１３が決定した区分鎖錠の所属エリアの例を示す図である。生成部１３は、図６に示すフローチャートのステップＳ１７、すなわち図９に示すフローチャートの動作によって、区分鎖錠（３１Ｔ）Ｄ１Ｔ＞１ＲＡＴ，（３１Ｔ）Ｄ１Ｔ＞１ＲＢＴ，（４１Ｔ）１ＲＡＴ＞５ＲＴ，（４１Ｔ）１ＲＢＴ＞５ＲＴは第２のエリアに所属すると決定し、区分鎖錠（４２Ｔ）Ｕ１Ｔ＞７ＬＣＴ，（４２Ｔ）Ｕ１Ｔ＞７ＬＤＴ，（３２Ｔ）３ＬＴ＞７ＬＣＴ，（３２Ｔ）３ＬＴ＞７ＬＤＴ，（３２Ｔ）７ＬＣＴ＞３ＬＴ，（３２Ｔ）７ＬＤＴ＞３ＬＴは第３のエリアに所属すると決定し、区分鎖錠（３１Ｔ）３２Ｔ＞１ＲＡＴ，（３２Ｔ）３ＬＴ＞３１Ｔ，（３１Ｔ）３２Ｔ＞１ＲＢＴ，（３１Ｔ）１ＲＡＴ＞３２Ｔ，（３２Ｔ）３１Ｔ＞３ＬＴはエリア跨り、すなわち第２のエリアおよび第３のエリアに跨って両方のエリアに所属していると決定する。以上の動作によって、図５のフローチャートのステップＳ３の動作が終了する。
【００４４】
図５のフローチャートの説明に戻る。生成部１３は、決定した各設備の所属エリアに基づいて、第２のエリア用の第２の連動表データ、および第３のエリア用の第３の連動表データを生成する（ステップＳ４）。生成部１３によるステップＳ４の動作について詳細に説明する。図１６は、本実施の形態に係る連動表データ生成装置１０の生成部１３が第２の連動表データおよび第３の連動表データを生成する動作を示すフローチャートである。生成部１３は、第１の連動表データに記載されている軌道回路を、第２の連動表データ、または第３の連動表データに振り分ける。また、生成部１３は、第１の連動表データに記載されている設備を、第２の連動表データ、または第３の連動表データ、または第２の連動表データおよび第３の連動表データの両方に振り分ける。生成部１３は、第１の連動表データに記載されている軌道回路および設備を上記のように振り分けることによって、第２の連動表データおよび第３の連動表データを生成する。
【００４５】
生成部１３は、ステップＳ３、すなわち図６、図７、および図９に示すフローチャートの動作によって所属エリアが決定された設備から１つを選択する（ステップＳ５１）。生成部１３は、例えば、軌道回路の１２個、発点の１１個、着点の６個などの順に設備を順次選択する。生成部１３は、選択した設備が両方のエリア、すなわち第２のエリアおよび第３のエリアに所属している場合（ステップＳ５２：Ｙｅｓ）、当該設備に制約条件を付加し（ステップＳ５３）、当該設備の情報を両方のエリアの連動表データ、すなわち第２のエリアの第２の連動表データおよび第３のエリアの第３の連動表データに出力する（ステップＳ５４）。制約条件とは、例えば、一方のエリアで連動処理が停止している場合、他方のエリアの設備も使用できないようにすることであるが、これに限定されない。
【００４６】
生成部１３は、選択した設備が両方のエリアに所属しておらず（ステップＳ５２：Ｎｏ）、第２のエリアに所属している場合（ステップＳ５５：Ｙｅｓ）、当該設備の情報を第２のエリアの第２の連動表データに出力する（ステップＳ５６）。生成部１３は、選択した設備が第２のエリアに所属しておらず（ステップＳ５５：Ｎｏ）、第３のエリアに所属している場合（ステップＳ５７：Ｙｅｓ）、当該設備の情報を第３のエリアの第３の連動表データに出力する（ステップＳ５８）。生成部１３は、選択した設備が第３のエリアに所属していない場合（ステップＳ５７：Ｎｏ）、所属エリアが決定されていない設備があるとしてユーザに通知する（ステップＳ５９）。所属エリアが決定されていない設備がある場合とは、例えば、元の第１の連動表データに誤りがあった場合である。
【００４７】
図１７は、本実施の形態に係る連動表データ生成装置１０で生成される第２の連動表データの対象エリアである第２のエリアの配線図、および第３の連動表データの対象エリアである第３のエリアの配線図を示す図である。図２に示す第１のエリアの配線図が、境界情報に基づいて分割された状態を示している。図１７に示すように、第２のエリアおよび第３のエリアの境界は、境界情報で示される境界軌道回路である軌道回路３１Ｔ，３２Ｔの接続部分である。図１８は、本実施の形態に係る連動表データ生成装置１０の生成部１３で生成される第２のエリアを対象とする第２の連動表データの例を示す図である。また、図１９は、本実施の形態に係る連動表データ生成装置１０の生成部１３で生成される第３のエリアを対象とする第３の連動表データの例を示す図である。図１８に示す第２の連動表データには、第２のエリアに所属すると決定された設備と、第２のエリアおよび第３のエリアの両方に所属すると決定された設備と、が記載されている。また、図１９に示す第３の連動表データには、第３のエリアに所属すると決定された設備と、第２のエリアおよび第３のエリアの両方に所属すると決定された設備と、が記載されている。なお、図１８および図１９において、［］で示される設備は、他のエリアに所属するもの、または両方のエリアに跨って両方のエリアに所属しているものを示している。このように、連動表データ生成装置１０は、第１のエリアの第１の連動表データから、第２のエリアの第２の連動表データ、および第３のエリアの第３の連動表データを容易に生成することができる。
【００４８】
なお、連動表データ生成装置１０は、取得部１１が第２の連動表データを取得し、受付部１２が第２のエリアを第４のエリアおよび第５のエリアに分割する位置を示す境界情報を受け付け、生成部１３が第４のエリアを対象とする第４の連動表データおよび第５のエリアを対象とする第５の連動表データを生成することも可能である。例えば、前述の第１にエリアを第２のエリアおよび第３のエリアに分割する位置を示す境界情報を第１の境界情報とした場合、受付部１２は、第２のエリアを第４のエリアおよび第５のエリアに分割する新たな境界情報である第２の境界情報を受け付ける。生成部１３は、第２の境界情報を用いて、第２の連動表データから、第４のエリアを対象とする第４の連動表データ、および第５のエリアを対象とする第５の連動表データを生成する。連動表データ生成装置１０は、このように連動表データを生成する動作を繰り返すことによって、第１のエリアを３分割以上に分割した各エリアを対象とする連動表データを生成することができる。
【００４９】
つづいて、連動表データ生成装置１０のハードウェア構成について説明する。連動表データ生成装置１０において、取得部１１および受付部１２はユーザの操作を受け付け可能な入力インタフェースである。出力部１４は、第２の連動表データおよび第３の連動表データを出力する出力インタフェースである。生成部１３は、処理回路により実現される。処理回路は、メモリに格納されるプログラムを実行するプロセッサおよびメモリであってもよいし、専用のハードウェアであってもよい。
【００５０】
図２０は、本実施の形態に係る連動表データ生成装置１０が備える処理回路をプロセッサおよびメモリで構成する場合の例を示す図である。処理回路がプロセッサ９１およびメモリ９２で構成される場合、連動表データ生成装置１０の処理回路の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをプロセッサ９１が読み出して実行することにより、各機能を実現する。すなわち、処理回路は、連動表データ生成装置１０の処理が結果的に実行されることになるプログラムを格納するためのメモリ９２を備える。また、これらのプログラムは、連動表データ生成装置１０の手順および方法をコンピュータに実行させるものであるともいえる。
【００５１】
ここで、プロセッサ９１は、ＣＰＵ（Central  Processing  Unit）、処理装置、演算装置、マイクロプロセッサ、マイクロコンピュータ、またはＤＳＰ（Digital  Signal  Processor）などであってもよい。また、メモリ９２には、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００５２】
図２１は、本実施の形態に係る連動表データ生成装置１０が備える処理回路を専用のハードウェアで構成する場合の例を示す図である。処理回路が専用のハードウェアで構成される場合、図２１に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。連動表データ生成装置１０の各機能を機能別に処理回路９３で実現してもよいし、各機能をまとめて処理回路９３で実現してもよい。
【００５３】
なお、連動表データ生成装置１０の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００５４】
以上説明したように、本実施の形態によれば、連動表データ生成装置１０は、第１のエリアを第２のエリアおよび第３のエリアに分割する位置を示す境界情報を用いて、第１のエリアを対象とする第１の連動表データから、第２のエリアを対象とする第２の連動表データ、および第３のエリアを対象とする第３の連動表データを生成することとした。連動表データ生成装置１０は、各エリアに対応する連動図表を用いることなく、第１の連動表データから、容易に第２の連動表データおよび第３の連動表データを生成できる。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１０  連動表データ生成装置、１１  取得部、１２  受付部、１３  生成部、１４  出力部。
【図１】
2020032801.tif 000003
【図２】
2020032801.tif 000004
【図３】
2020032801.tif 000005
【図４】
2020032801.tif 000006
【図５】
2020032801.tif 000007
【図６】
2020032801.tif 000008
【図７】
2020032801.tif 000009
【図８】
2020032801.tif 000010
【図９】
2020032801.tif 000011
【図１０】
2020032801.tif 000012
【図１１】
2020032801.tif 000013
【図１２】
2020032801.tif 000014
【図１３】
2020032801.tif 000015
【図１４】
2020032801.tif 000016
【図１５】
2020032801.tif 000017
【図１６】
2020032801.tif 000018
【図１７】
2020032801.tif 000019
【図１８】
2020032801.tif 000020
【図１９】
2020032801.tif 000021
【図２０】
2020032801.tif 000022
【図２１】
2020032801.tif 000023